(57)【特許請求の範囲】
【請求項１】
左側帽体部と右側帽体部とを備えて構成されており、前記左側帽体部と前記右側帽体部とが、中央ヒンジ部を介してお互いが接続されている折りたたみ式保護帽において、
側面視したときに、前記左側帽体部は、複数の平板状のセグメントを備えて構成されており、これらのセグメントは、前記左側帽体部内に位置している所定の部位から前記左側帽体部の外周まで放射状に延びる複数のヒンジ部と、前記所定の部位から前記左側帽体部の外周まで延びる１つの切り欠きとによって区切られており、
側面視したときに、前記右側帽体部は、複数の平板状のセグメントを備えて構成されており、これらのセグメントは、前記右側帽体部内に位置している所定の部位から前記右側帽体部の外周まで放射状に延びる複数のヒンジ部と、前記所定の部位から前記右側帽体部の外周まで延びる１つの切り欠きとによって区切られており、
収容するときには、前記切り欠きが開くことで前記左側帽体部と前記右側帽体部とが平板状になり、
使用するときには、前記切り欠きが閉じることで、前記各ヒンジ部のところで前記各セグメントが山折りされて、前記左側帽体部が左側に凸になり、前記右側帽体部が右側に凸になることで、半球殻状になるように構成されていることを特徴とする折りたたみ式保護帽。
【請求項２】
請求項１に記載の折りたたみ式保護帽において、
前記左側帽体部と前記右側帽体部との間には、左右方向に一定の幅を備えた細長い板状の中央帽体部が設けられており、
前記中央帽体部は、この長手方向の中間部で、複数のセグメントに分割されており、
前記中央ヒンジ部は、左側中央ヒンジ部と右側中央ヒンジ部とで構成されており、前記中央帽体部の各セグメントの幅方向の一端のそれぞれには、前記左側中央ヒンジ部が形成されており、前記中央帽体部の各セグメントの幅方向の他端のそれぞれには、前記右側中央ヒンジ部が形成されており、
前記左側帽体部の上側の外周部における各セグメントの縁のそれぞれが、前記各左側中央ヒンジ部のそれぞれを介して、前記中央帽体部の各セグメントのそれぞれにつながっており、
前記右側帽体部の上側の外周部における各セグメントの縁のそれぞれが、前記各右側中央ヒンジ部のそれぞれを介して、前記中央帽体部の各セグメントのそれぞれにつながっており、
収容するときには、前記左側帽体部の厚さ方向と前記右側帽体部の厚さ方向とがお互いに一致し、左右方向で、前記中央帽体部の左端と前記左側帽体部の左端面とがお互いに一致し、前記中央帽体部の右端と前記右側帽体部の右端面とがお互いに一致するように構成されていることを特徴とする折りたたみ式保護帽。
【請求項３】
請求項１または請求項２に記載の折りたたみ式保護帽において、
使用するときの形状を維持するためのロック部を有し、
収容するときには、前記切り欠きが前記ロック部で塞がれていることを特徴とする折りたたみ式保護帽。
【発明の詳細な説明】
【技術分野】
【０００１】
本発明は、折りたたみ式保護帽に係り、通常は折りたたまれており、非常時に半球殻状になるもの関する。
【背景技術】
【０００２】
従来、使用時には通常のヘルメットである略半球殻状の形状を実現し、偏平に折り畳むことができる折り畳みヘルメット（折りたたみ式保護帽）が知られている（たとえば、特許文献１参照）。
【０００３】
この従来の折り畳みヘルメットの構成は、次のようになっている。
【０００４】
略半球殻状の帽体を、頭頂部中心を通る中心線に沿って右半帽体（右側帽体部）と左半帽体（左側帽体部）に分割している。二つの半帽体は対称形であり、左半帽体には下端開口縁から上方の一定範囲を占める左中央殻と、これに隣接する左上周辺殻、左前周辺殻、左後周辺殻に区画している。中央殻と周辺殻は回動可能なヒンジ構造である薄肉部で連続させてあり、周辺殻と周辺殻は分離させている。外周に位置する二つの半帽体の対応する周辺殻と周辺殻は回動可能なヒンジ構造の連結部で連結し、連結部は連結部カバーで覆われている。
【先行技術文献】
【特許文献】
【０００５】
【特許文献１】特開２０１３−１７０３２４号公報
【発明の概要】
【発明が解決しようとする課題】
【０００６】
ところで、従来の折り畳みヘルメットでは、折り畳んだときに（収容するときに）、切り欠きが２箇所できてしまい（特許文献１の図１３等参照）、これらの切り欠きの分だけかさばり、また、使用するときの強度が低下してしまうという問題がある。
【０００７】
本発明は、上記問題点に鑑みてなされたものであり、収容するときのかさばりを極力抑えることができるとともに、使用するときの強度の低下を極力抑えることができる折りたたみ式保護帽を提供することを目的とする。
【課題を解決するための手段】
【０００８】
請求項１に記載の発明は、左側帽体部と右側帽体部とを備えて構成されており、前記左側帽体部と前記右側帽体部とが、中央ヒンジ部を介してお互いが接続されている折りたたみ式保護帽において、側面視したときに、前記左側帽体部は、複数の平板状のセグメントを備えて構成されており、これらのセグメントは、前記左側帽体部内に位置している所定の部位から前記左側帽体部の外周まで放射状に延びる複数のヒンジ部と、前記所定の部位から前記左側帽体部の外周まで延びる１つの切り欠きとによって区切られており、側面視したときに、前記右側帽体部は、複数の平板状のセグメントを備えて構成されており、これらのセグメントは、前記右側帽体部内に位置している所定の部位から前記右側帽体部の外周まで放射状に延びる複数のヒンジ部と、前記所定の部位から前記右側帽体部の外周まで延びる１つの切り欠きとによって区切られており、収容するときには、前記切り欠きが開くことで前記左側帽体部と前記右側帽体部とが平板状になり、使用するときには、前記切り欠きが閉じることで、前記各ヒンジ部のところで前記各セグメントが山折りされて、前記左側帽体部が左側に凸になり、前記右側帽体部が右側に凸になることで、半球殻状になるように構成されている折りたたみ式保護帽である。
【０００９】
請求項２に記載の発明は、請求項１に記載の折りたたみ式保護帽において、前記左側帽体部と前記右側帽体部との間には、左右方向に一定の幅を備えた細長い板状の中央帽体部が設けられており、前記中央帽体部は、この長手方向の中間部で、複数のセグメントに分割されており、前記中央ヒンジ部は、左側中央ヒンジ部と右側中央ヒンジ部とで構成されており、前記中央帽体部の各セグメントの幅方向の一端のそれぞれには、前記左側中央ヒンジ部が形成されており、前記中央帽体部の各セグメントの幅方向の他端のそれぞれには、前記右側中央ヒンジ部が形成されており、前記左側帽体部の上側の外周部における各セグメントの縁のそれぞれが、前記各左側中央ヒンジ部のそれぞれを介して、前記中央帽体部の各セグメントのそれぞれにつながっており、前記右側帽体部の上側の外周部における各セグメントの縁のそれぞれが、前記各右側中央ヒンジ部のそれぞれを介して、前記中央帽体部の各セグメントのそれぞれにつながっており、収容するときには、前記左側帽体部の厚さ方向と前記右側帽体部の厚さ方向とがお互いに一致し、左右方向で、前記中央帽体部の左端と前記左側帽体部の左端面とがお互いに一致し、前記中央帽体部の右端と前記右側帽体部の右端面とがお互いに一致するように構成されている折りたたみ式保護帽である。
【００１０】
請求項３に記載の発明は、請求項１または請求項２に記載の折りたたみ式保護帽において、使用するときの形状を維持するためのロック部を有し、収容するときには、前記切り欠きが前記ロック部で塞がれている折りたたみ式保護帽である。
【発明の効果】
【００１１】
本発明によれば、収容するときのかさばりを極力抑えることができるとともに、使用するときの強度の低下を極力抑えることができる折りたたみ式保護帽を提供することができるという効果を奏する。
【図面の簡単な説明】
【００１２】
【図１】本発明の実施形態に係る折りたたみ式保護帽の使用時の正面図である。
【図２】本発明の実施形態に係る折りたたみ式保護帽の使用時の側面図であって、図１におけるＩＩ矢視図である。
【図３】本発明の実施形態に係る折りたたみ式保護帽の使用時の平面図であって、図２におけるＩＩＩ矢視図である。
【図４】本発明の実施形態に係る折りたたみ式保護帽の収容時における側面図であって、図２に対応する図である。
【図５】図４におけるＶ矢視図であり、図３に対応する図である。
【図６】（ａ）は図４におけるＶＩＡ−ＶＩＡ断面図であり、（ｂ）は図２におけるＶＩＢ−ＶＩＢ断面図である。
【図７】図３におけるＶＩＩ−ＶＩＩ断面図である。
【図８】図１におけるＶＩＩＩ−ＶＩＩＩ断面図である。
【図９】ロック部を構成するロック部構成部材を示す図であり、紙面に直交する方向が左右方向である。
【図１０】（ａ）は図４や図９におけるＸ−Ｘ断面図であり、（ｂ）は（ａ）に対応した図であって、使用時における断面図である。
【図１１】（ａ）は図４におけるＸＩ−ＸＩ断面図であり、（ｂ）は（ａ）に対応した図であって、使用時における断面図である。
【図１２】１つ目の変形例に係る折りたたみ式保護帽の、収容時における側面図である。
【図１３】２つ目の変形例に係る折りたたみ式保護帽の、収容時における側面図である。
【図１４】３つ目の変形例に係る折りたたみ式保護帽の、収容時における側面図である。
【図１５】４つ目の変形例に係る折りたたみ式保護帽の、収容時における側面図である。
【図１６】図１５に示す４つ目の変形例に係る折りたたみ式保護帽の、使用時における側面図である。
【図１７】５つ目の変形例に係る折りたたみ式保護帽の、収容時における側面図である。
【発明を実施するための形態】
【００１３】
本発明の実施形態に係る折りたたみ式保護帽（折りたたみ式ヘルメット）１は、たとえば、地震等の災害発生時に非常時用の保護帽として使用されるものであり、図１〜図５で示すように、左側帽体部３と右側帽体部５とを備えて構成されている。
【００１４】
左側帽体部３は中心平面ＰＬの左側に位置しており、右側帽体部５は中心平面ＰＬの右側に位置している。中心平面ＰＬは、折りたたみ式保護帽１の頂上部７（中心でもよい。）を含み左右方向に対して直交している平面である。
【００１５】
左側帽体部３と右側帽体部５とは、薄肉の中央ヒンジ部９を介してお互いが接続されている。中央ヒンジ部９の直線状の曲げ線ＳＬは、中心平面ＰＬに対して平行になっているとともに、中心平面ＰＬと曲げ線ＳＬの距離は一定になっている。
【００１６】
また、折りたたみ式保護帽１は、中心平面（左右方向中心平面）ＰＬに対して、対称に形成されている（左右対称に形成されている）。また、折りたたみ式保護帽１は、たとえば、中心平面（前後方向中心平面）に対して、対称に形成されている（前後対称に形成されている）。前後方向中心平面（図示せず）とは、折りたたみ式保護帽１の頂上部７（中心でもよい。）を含み前後方向に対して直交している平面である。
【００１７】
折りたたみ式保護帽１を側面視すると、図２や図４で示すように、左側帽体部３が、複数の平板状のセグメント（剛体とみなせる左側帽体セグメント）１１（１１Ａ〜１１Ｆ）を備えて構成されている。
【００１８】
これらのセグメント１１（１１Ａ〜１１Ｆ）は、複数のヒンジ部（左側帽体ヒンジ部）１３（１３Ａ〜１３Ｄ），１５（１５Ａ，１５Ｂ）と、１つの切り欠き（左側帽体切り欠き）１７とによって区切られている。薄肉のヒンジ部１３，１５では、直線状の曲げ線ＳＬのところで、お互いに隣接している厚肉のセグメント１１が曲がるようになっている（図６参照）。たとえば、ヒンジ部１３Ｃで区切られているセグメント１１Ｃとセグメント１１Ｄとは、ヒンジ部１３Ｃのところで、セグメント１１Ｃに対してセグメント１１Ｄが相対的に曲がるようになっている。なお、図６で示す曲げ線ＳＬは、図６の紙面に直交する方向に延びている。
【００１９】
また、折りたたみ式保護帽１を側面視すると、ヒンジ部１５（１５Ａ，１５Ｂ）を除く複数のヒンジ部１３（１３Ａ〜１３Ｄ）のそれぞれは、左側帽体部３内に位置している所定の部位（たとえば、中央部４もしくは中心）から左側帽体部３の外周まで放射状に延びている。
【００２０】
ヒンジ部１５Ａは折りたたみ式保護帽１の前側で、セグメント１１Ａとセグメント１１Ｂとを区切っており、ヒンジ部１５Ｂは折りたたみ式保護帽１の後側で、セグメント１１Ｄとセグメント１１Ｅとを区切っている。
【００２１】
また、折りたたみ式保護帽１を側面視すると、図２や図４で示すように、左側帽体部３のセグメント１１Ｆは、切り欠き１７によって前側セグメント１１Ｆａと後側セグメント１１Ｆｂとに分割されている。
【００２２】
また、折りたたみ式保護帽１を側面視すると、切り欠き１７の一方側の縁部（中央部４から延びている一方の側の縁部）１７ａと他方の側の縁部（中央部４から延びている他方の側の縁部）１７ｂとは、お互いを補完する形状になっている。すなわち、切り欠き１７の一方の側の縁部（線状の縁部）１７ａと他方の側の縁部（線状の縁部）１７ｂとを合わせると、一方の側の縁部１７ａの全長と他方の側の縁部１７ｂの全長とがお互いに接触し、切り欠き１７が閉じてほぼ消失するようになっている。
【００２３】
なお、縁部１７ａ，１７ｂが必ずしも直線状に形成されている必要は無く、図２に破線Ｌ１で示すように、一部が円弧状等の曲線状になっていてもよいし、全体が曲線状、折れ線状等の形状になっていてもよい。
【００２４】
また、折りたたみ式保護帽１を側面視すると、左側帽体部３と同様に、右側帽体部５が、複数の平板状のセグメント（左側帽体セグメントとは別の剛体とみなせる右側帽体セグメント）１１（１１Ａ〜１１Ｆ（１１Ｆａ，１１Ｆｂ））を備えて構成されており、これらのセグメント１１（１１Ａ〜１１Ｆ）は、右側帽体部５内に位置している所定の部位（たとえば、中央部４もしくは中心）から右側帽体部５の外周まで放射状に延びる複数のヒンジ部（左側帽体ヒンジ部とは別の、直線状の曲げ線のところで曲がる右側帽体ヒンジ部）１３（１３Ａ〜１３Ｄ）と、他のヒンジ部１５（１５Ａ，１５Ｂ）と、上記所定の部位から右側帽体部５の外周まで延びる１つの切り欠き（左側帽体切り欠きとは別の右側帽体切り欠き）１７とによって区切られている（図２等を参照）。
【００２５】
また、左側帽体部３や右側帽体部５の上側の外周部における各セグメント１１Ａ〜１１Ｅの縁１９（１９Ａ〜１９Ｅ）のそれぞれが、複数の中央ヒンジ部９（９Ａ〜９Ｅ）のそれぞれを介して、右側帽体部５の上側の外周部における各セグメント１１Ａ〜１１Ｅの縁１９（１９Ａ〜１９Ｅ）のそれぞれにつながっている（図３等参照）。なお、中央ヒンジ部９（９Ａ〜９Ｅ）の曲げ線ＳＬは、中心平面ＰＬに対して平行になっている（図７、図８等参照）。
【００２６】
左側帽体部３の下側の外周部における各セグメント１１Ａ，１１Ｂ，１１Ｄ，１１Ｅ，１１Ｆの縁２１（２１Ａ〜２１Ｅ）や右側帽体部５の下側の外周部における各セグメント１１Ａ，１１Ｂ，１１Ｄ，１１Ｅ，１１Ｆの縁２１（２１Ａ〜２１Ｅ）のそれぞれは、使用するとき、折りたたみ式保護帽１の下側の、頭部を入れる開口部になる。
【００２７】
収容するときには（たたんだときには）、図４や図５で示すように、切り欠き１７が開くことで（縁部１７ａと縁部１７ｂとの間隔が最大になることにより）、左側帽体部３と右側帽体部５とが平板状になるように構成されている。すなわち、左側帽体部３の厚さ方向と右側帽体部５の厚さ方向とがお互いに一致し、この厚さ方向から見たときに左側帽体部３の総てと右側帽体部５の総てとがお互いが重なるように構成されている。
【００２８】
また、使用するときには（開いたときには）、図１等で示すように、折りたたみ式保護帽１は、切り欠き１７が閉じることで（切り欠き１７の一方の側と縁部１７ａと切り欠き１７の他方の側の縁部１７ｂとがつき合わされていることで）、各ヒンジ部（左側帽体ヒンジ部および右側帽体ヒンジ部）１３，１５のところで各セグメント（左側帽体セグメントおよび右側帽体セグメント）１１が山折りされて、左側帽体部３が左側に凸になり、右側帽体部５が右側に凸になることで、半球殻状（椀状）になるように構成されている。
【００２９】
半球殻状とは、所定の半径の第１の球から、この第１の球の半径よりも僅かに小さい半径で前記第１の球と中心が一致する第２の球を取り除いた形状の立体を、前記各球の中心もしくはこの近傍を通る平面で２分割したときに形成される一方の立体である。
【００３０】
使用するときの折りたたみ式保護帽１は、「半球殻状」に形成されているのであって、完全な「半球殻」形状に形成されているわけではない。すなわち、使用するときの折りたたみ式保護帽１は、着用者の頭部の形状に合うようにするために、左右方向の寸法よりも前後方向の寸法を大きくしている等の形状に形成されている。また、使用するときの折りたたみ式保護帽１の頭部を入れる開口部（淵；下側の端）も、完全な円形ではなく、着用者の頭部の形状に合うようにするために、適宜形状を変化させている。
【００３１】
収容するとき（収容状態）においても使用するとき（使用状態）においてもさらに収容状態と使用状態との間の中間状態においても、中央ヒンジ部９の曲げ線ＳＬは、中心平面ＰＬに常に平行なままであって、中心平面ＰＬとの距離は一定になっている。
【００３２】
また、折りたたみ式保護帽１では、左側帽体部３と右側帽体部５との間には、左右方向に一定の幅を備えた細長い板状の中央帽体部２３が設けられている。
【００３３】
中央帽体部２３は、この長手方向（たとえば前後方向）の中間部で、複数のセグメント（左側帽体セグメント１１や右側帽体セグメント１１とは別の剛体とみなせる中央セグメント）２３Ａ〜２３Ｅに分割されている。中央帽体部２３を複数のセグメント２３Ａ〜２３Ｅに分割する分割線は、たとえば、複数本になっており、各分割線のそれぞれは、折りたたみ式保護帽１の前後方向でお互いが離れ、中央帽体部２３の幅方向の全長にわたって延びている。
【００３４】
中央ヒンジ部２３は、図３で示すように左側中央ヒンジ部９ＡＬ〜９ＥＬと右側中央ヒンジ部９ＡＲ〜９ＥＲとで構成されており、中央帽体部２３の各セグメント２３Ａ〜２３Ｅの幅方向の一方の端（左端）のそれぞれには、左側中央ヒンジ部９ＡＬ〜９ＥＬが形成されており、中央帽体部２３の各セグメント２３Ａ〜２３Ｅの幅方向の他方の端（右端）のそれぞれには、右側中央ヒンジ部９ＡＲ〜９ＥＲが形成されている。
【００３５】
左側帽体部３の上側の外周部における各セグメント１１Ａ〜１１Ｅの縁１９Ａ〜１９Ｅのそれぞれが、各左側中央ヒンジ部９ＡＬ〜９ＥＬのそれぞれを介して、中央セグメント２３Ａ〜２３Ｅのそれぞれにつながっている。
【００３６】
右側帽体部５の上側の外周部における各セグメント１１Ａ〜１１Ｅの縁１９Ａ〜１９Ｅのそれぞれが、各右側中央ヒンジ部９ＡＲ〜９ＥＲのそれぞれを介して、中央セグメント２３Ａ〜２３Ｅのそれぞれにつながっている。
【００３７】
収容状態では、折りたたみ式保護帽１は、中央ヒンジ部９のところで、中央帽体部２３に対して左側帽体部３がほぼ直角に曲がり、中央帽体部２３に対して右側帽体部５がほぼ直角に曲がり、上述したように、左側帽体部３の厚さ方向と右側帽体部５の厚さ方向とがお互いに一致するようになっている。
【００３８】
また、収容状態では、左右方向で（中央帽体部２３の幅方向で）、中央帽体部２３の幅寸法の値と、左側帽体部３と右側帽体部５とがお互いに重なった厚さ寸法の値とがお互いに一致しており、中央帽体部２３の左端と左側帽体部３の左端面（外面）とがお互いに一致し、中央帽体部２３の右端と右側帽体部５の右端面（外面）とがお互いに一致するように構成されている。
【００３９】
また、折りたたみ式保護帽１には、使用するときの半球殻状の形状を維持するためのロック部２５が設けられている。
【００４０】
そして、切り欠き１７の少なくとも一部がロック部２５で塞がれている。具体的には、収容状態において、切り欠き１７の下側の部位がロック部２５で塞がれており、切り欠き１７の上側の部位が切り欠き閉塞部２７で塞がれている。これにより、収容状態で切り欠き１７が開いていても、開いている切り欠き１７に指が入らないようになっている。
【００４１】
ここで、折りたたみ式保護帽１についてさらに詳しく説明する。左側帽体部３は、硬質の合成樹脂で構成されている。
【００４２】
折りたたみ式保護帽１の収容状態を側面視すると、図４で示すように、各ヒンジ部１３（１３Ａ〜１３Ｄ）のそれぞれは、左側帽体部３の中央部（前後方向の中央であって上下方向の中央より僅かに下方）４から放射状に延びている。また、ヒンジ部１５Ａは、左側帽体部３の前側で斜め上下方向に延びており、ヒンジ部１５Ｂは、左側帽体部３の後側で斜め上下方向に延びている。
【００４３】
これにより、中央ヒンジ部９Ｃとヒンジ部１３Ｂとヒンジ部１３Ｃとで囲まれた三角形状（二等辺三角形状）のセグメント１１Ｃが、左側帽体部３の中央部４の上側に形成されている。
【００４４】
また、中央ヒンジ部９Ｂとヒンジ部１３Ｂとヒンジ部１５Ａとヒンジ部１３Ａと縁２１Ｂとで囲まれた五角形状のセグメント１１Ｂが、左側帽体部３の前側でセグメント１１Ｃに隣接して形成されている。
【００４５】
また、中央ヒンジ部９Ａとヒンジ部１５Ａと縁２１Ａとで囲まれた三角形状のセグメント１１Ａが、左側帽体部３の前側でセグメント１１Ｂに隣接して形成されている。
【００４６】
また、中央ヒンジ部９Ｄとヒンジ部１３Ｃとヒンジ部１５Ｂとヒンジ部１３Ｄと縁２１Ｄとで囲まれた五角形状のセグメント１１Ｄが、左側帽体部３の後側でセグメント１１Ｃに隣接して形成されている。
【００４７】
また、中央ヒンジ部９Ｅとヒンジ部１５Ｂと縁２１Ｅとで囲まれた三角形状のセグメント１１Ｅが、左側帽体部３の後側でセグメント１１Ｄに隣接して形成されている。
【００４８】
折りたたみ式保護帽１の使用状態を側面視すると、図２で示すように、ヒンジ部１３Ａとヒンジ部１３Ｄと縁２１Ｃとで囲まれた三角形状（二等辺三角形状）のセグメント１１Ｆが、セグメント１１Ｂとセグメント１１Ｄとに隣接して、左側帽体部３の中央部４の下側に形成されている。なお、各ヒンジ部１３，１５、各セグメント１１は、前後方向で対称に形成されている。
【００４９】
また、折りたたみ式保護帽１の収容状態を側面視すると、図４で示すように、切り欠き１７は、セグメント１１Ｆに形成されており、中央部４を頂点として概ね三角な形状に形成されている。切り欠き１７によって、セグメント１１Ｆは、概ね三角な形状に形成されている前側セグメント１１Ｆａと、概ね三角な形状に形成されている後側セグメント１１Ｆｂとに分割されている。
【００５０】
ロック部２５は、図４、図９、図１０で示すようなロック部構成部材２９を備えて構成されている。ロック部構成部材２９は、薄い板状で所定の幅Ｗ１の円弧状に形成されている。なお、図４や図９の紙面に直交する方向および図１０の上下方向がロック部構成部材２９の厚さ方向になっている。
【００５１】
ロック部構成部材２９の中央部には、「コ」字状の切り欠き３０が設けられている。これにより、ロック部構成部材２９の中央部には、ロック部構成部材２９の円弧の方向でロック部構成部材２９の厚さ方向に弾性変形する片持ち梁状の弾性アーム３１が形成されている。
【００５２】
弾性アームの先端部には、一対の爪部３３（３３Ａ，３３Ｂ）が設けられており、一対の爪部３３の間には凹部（被係止部）３５が形成されている。
【００５３】
ロック部構成部材２９の長手方向（円弧の延伸方向）の一端部（図９の左端部）には、セグメント１１Ｆａに係合する係合部３７が設けられている。ロック部構成部材２９の長手方向の他端部（図９の右端部）は、セグメント１１Ｆｂに一体的に設けられている。また、ロック部構成部材２９の係合部３７は、セグメント１１Ｆａの被係合部３９に係合している。係合部３７が被係合部３９に係合することで、ロック部構成部材２９が円弧の延伸方向に移動するとき、セグメント１１Ｆａでガイドされるようになっている。また、ロック部構成部材２９は、セグメント１１Ｆの内側に配置されている。
【００５４】
そして、折りたたみ式保護帽１が図４に示す収容用状態にあるときには、図１０（ａ）で示すように、セグメント１１Ｆａとセグメント１１Ｆｂとが離れており、切り欠き１７が形成されおり、図４で示すように、切り欠き１７の下側の部位が、ロック部構成部材２９で塞がれている。
【００５５】
図１０（ａ）で示す状態（図４等で示す収容状態）から、矢印Ａ１の方向に、セグメント１１Ｆｂとロック部構成部材２９とを移動すると、爪部３３Ｂが係止部４１に当接し弾性アーム３１が矢印Ａ２の方向に弾性変形する。
【００５６】
さらに、セグメント１１Ｆｂとロック部構成部材２９とを移動すると、爪部３３Ｂが係止部４１を乗越え、弾性アーム３１が復元し係止部４１が凹部３５に嵌り込み、図１０（ｂ）で示す状態（図２等で使用状態）になる。このとき、係止部４１が凹部３５に嵌り込んでいることで、切り欠きが閉じた状態が保持される。そして、使用状態の形状は保持される。
【００５７】
なお、図１０（ｂ）に示す状態から図１０（ａ）で示す状態に戻す場合には、矢印Ａ３で示す方向に力を加えて弾性アーム３１を弾性変形させ、係止部４１を凹部３５から出した状態で、セグメント１１Ｆｂとロック部構成部材２９とを矢印Ａ４の方向に移動する。
【００５８】
なお、ロック部２５をロック部構成部材２９を使用することなく構成してもよい。たとえば引っ掛けのフックやパッチン錠、ラチェット機構を用いて構成してもよい。
【００５９】
切り欠き閉塞部２７は、図４で示すように、扇形状に形成されており、セグメント１１Ｆｂと一体でセグメント１１Ｆｂからセグメント１１Ｆａ側に突出している。そして、収容状態では、図４、図１１（ａ）に示すように、切り欠き１７の上側で切り欠き１７を塞いでいる。なお、収容状態において、ロック部構成部材２９と切り欠き閉塞部２７とで切り欠き１７がほぼ塞がれており、切り欠き１７を指が透過することが防止され、切り欠き１７の縁部１７ａと縁部１７ｂとで指が挟まれないようになっている。
【００６０】
なお、図２で示すような使用状態では、図１１（ｂ）で示すように、切り欠き閉塞部２７は、セグメント１１Ｆａの内側で、セグメント１１Ｆａに重なっている。
【００６１】
右側帽体部５も、左側帽体部３と同様構成されており、ロック部２５やロック部構成部材２９や切り欠き閉塞部２７も、左側帽体部３のものと同様構成されている。
【００６２】
中央帽体部２３は、上述したように、セグメント２３Ａとセグメント２３Ｂとセグメント２３Ｃとセグメント２３Ｅとに分割されている。
【００６３】
セグメント２３Ａの幅方向左端は、ヒンジ部９Ａ（９ＡＬ）を介して、左側帽体部３のセグメント１１Ａにつながっており、セグメント２３Ｂの幅方向左端は、ヒンジ部９Ｂ（９ＢＬ）を介して、左側帽体部３のセグメント１１Ｂにつながっており、セグメント２３Ｃの幅方向左端は、ヒンジ部９Ｃ（９ＣＬ）を介して、左側帽体部３のセグメント１１Ｃにつながっており、セグメント２３Ｄの幅方向左端は、ヒンジ部９Ｄ（９ＤＬ）を介して、左側帽体部３のセグメント１１Ｄにつながっており、セグメント２３Ｅの幅方向左端は、ヒンジ部９Ｅ（９ＥＬ）を介して、左側帽体部３のセグメント１１Ｅにつながっている。
【００６４】
セグメント２３Ａの幅方向右端は、ヒンジ部９Ａ（９ＡＲ）を介して、右側帽体部５のセグメント１１Ａにつながっており、セグメント２３Ｂの幅方向右端は、ヒンジ部９Ｂ（９ＢＲ）を介して、右側帽体部５のセグメント１１Ｂにつながっており、セグメント２３Ｃの幅方向右端は、ヒンジ部９Ｃ（９ＣＲ）を介して、右側帽体部５のセグメント１１Ｃにつながっており、セグメント２３Ｄの幅方向右端は、ヒンジ部９Ｄ（９ＤＲ）を介して、右側帽体部５のセグメント１１Ｄにつながっており、セグメント２３Ｅの幅方向右端は、ヒンジ部９Ｅ（９ＥＲ）を介して、右側帽体部５のセグメント１１Ｅにつながっている。
【００６５】
また、左側帽体部３と右側帽体部５とは一体成形されており、図７で示すように、セグメント２３Ｃ下側の連結部４３を介してお互いがつながっている。
【００６６】
また、セグメント２３Ｃを除くセグメント２３Ａ，２３Ｂ，２３Ｄ，２３Ｅの下側では、左側帽体部３の連結部４５と右側帽体部５の連結部４７とが重なり、セグメント２３Ａ，２３Ｂ，２３Ｄ，２３Ｅによって重なりが保持されている。
【００６７】
また、分解することで、折りたたみ式保護帽１は、左側帽体部３およびこれにつながっている右側帽体部５と、中央帽体部２３の各ヒンジ部２３Ａ，２３Ｂ，２３Ｃ，２３Ｄ，２３Ｅとの６つに分解されるようになっている。
【００６８】
また、折りたたみ式保護帽１は、左側帽体部３と右側帽体部５と中央帽体部２３とが組み立てられた状態では、これらの内部に、発砲スチロール等の衝撃吸収材と内装体（いずれも図示せず）が設けられており、図２等で示す使用状態ではもちろんのこと、衝撃吸収材と内装体をそのままにしておいて、図４や図５で示す収容状態にすることができるようになっている。
【００６９】
ところで、折りたたみ式保護帽１は、常態では、図４や図５で示す収容状態でカバン内や机の引き出し等の収容場所（保管場所）に保管しておく。災害等の使用時には、図１や図２等で示す使用状態にして被ることで頭部を覆う。
【００７０】
折りたたみ式保護帽１によれば、収容時に、１つの切り欠き１７を開くだけで左側帽体部３と右側帽体部５とが平板状になるので、従来の折りたたみ式保護帽に比べて切り欠きの数が少ない分、かさばることが防止され、常時、カバンやバッグ内に入れて携帯することができ、また、職場や家庭での保管スペースを小さくすることができる。
【００７１】
また、折りたたみ式保護帽１によれば、１つの切り欠き１７を閉じることで使用するので、従来の折りたたみ式保護帽に比べて切り欠きの数が少ない分、強度の低下が抑えられる。
【００７２】
また、折りたたみ式保護帽１によれば、収容状態で平板状になるので（扁平形状になるので）、幅方向（平板の厚さ方向）における寸法を小さくすることができる。これに対して、特許文献１に記載のものでは、収容するときであっても、左側帽体部や右側帽体部が曲面形状になっているので（特許文献１の図９等参照）、幅方向（特許文献１の図９の左右方向）における寸法が大きくなっている。
【００７３】
また、折りたたみ式保護帽１によれば、地震等の非常時には、素早く簡単に組み立てられ（使用状状態にすることができ）、たとえば、出張の際にはカバンに入れて持ち運ぶことができる。
【００７４】
また、折りたたみ式保護帽１によれば、収容状態のときに、左側帽体部３の厚さ方向と右側帽体部５の厚さ方向とがお互いに一致し、左右方向で中央帽体部２３の左端と左側帽体部３の左端面とがお互いに一致し、中央帽体部２３の右端と右側帽体部５の右端面とがお互いに一致するように構成されている。これにより、収容状態のときに、折りたたみ式保護帽１が平板状になり、かさばらず取扱いがしやすくなる。
【００７５】
また、折りたたみ式保護帽１によれば、使用するときの形状を維持するためのロック部２５を有し、収容状態で切り欠き１７が塞がれているので、収容状態であっても切り欠き１７に指を入れてしまうおそれが無くなる。
【００７６】
ところで、左側帽体部３や右側帽体部５の形態を、図１２〜図１７で示すように、適宜変更してもよい。図１２〜図１７は、変形例に係る折りたたみ式保護帽１を側面視して概略的に示している。
【００７７】
図１２で示す１つ目の変形例に係る折りたたみ式保護帽１では、左側帽体部３（右側帽体部５）が、８つのセグメント１１と７つのヒンジ部１３，１５で構成されている。これにより、図示しないが、中央帽体部２３が６つのセグメントで構成されている。切り欠き１７は、下方に設けられている。
【００７８】
図１３で示す２つ目の変形例に係る折りたたみ式保護帽１では、左側帽体部３（右側帽体部５）が、７つのセグメント１１と６つのヒンジ部１３，１５で構成されている。これにより、図示しないが、中央帽体部２３が５つのセグメントで構成されている。切り欠き１７は、後方（前方でもよい）に設けられている。
【００７９】
図１４で示す３つ目の変形例に係る折りたたみ式保護帽１では、左側帽体部３（右側帽体部５）が、７つのセグメント１１と６つのヒンジ部１３，１５で構成されている。これにより、図示しないが、中央帽体部２３が５つのセグメントで構成されている。切り欠き１７は、図１３で示す２つ目の変形例に係る折りたたみ式保護帽１とは別の箇所で後方（前方でもよい）に設けられている。
【００８０】
図１５や図１６で示す４つ目の変形例に係る折りたたみ式保護帽１では、左側帽体部３（右側帽体部５）が、６つのセグメント１１と５つのヒンジ部１３，１５で構成されている。これにより、図示しないが、中央帽体部２３が５つのセグメントで構成されている。切り欠き１７は、下方に設けられている。ただし、各ヒンジ部１３や切り欠き１７が、線状（たとえば直線状）の中央部４から放射状に延びている。なお、図１５は折りたたみ式保護帽１の収容状態を示しており、図１６は折りたたみ式保護帽１の使用状態を示している。
【００８１】
図１７で示す５つ目の変形例に係る折りたたみ式保護帽１では、左側帽体部３（右側帽体部５）が、７つのセグメント１１と６つのヒンジ部１３，１５で構成されている。これにより、図示しないが、中央帽体部２３が５つのセグメントで構成されている。切り欠き１７は、下方に設けられている。ただし、各ヒンジ部１３や切り欠き１７が、図１５や図１６で示すものとは異なる態様で、線状（たとえば直線状もしは三角形状と解してもよい）の中央部４から放射状に延びている。図１７は、折りたたみ式保護帽１の収容状態を示している。
【００８２】
なお、折りたたみ式保護帽１において、中央帽体部２３を無くし、左側帽体部３と右側帽体部５とをヒンジ部を介して直接つないでもよい。
【００８３】
また、上記説明では、各セグメント１１が平板状になっているが、各セグメント１１を曲率半径の大きな球面の一部で構成してもよい。これにより、使用状態での折りたたみ式保護帽１の形状がより滑らかになり球殻状に近い形状になる。
【００８４】
また、図示していないが、折り畳み保護帽１の内側（左側帽体部３、右側帽体部５、中央帽体部２３等の内側）には、保護帽の開口部に沿って着用者の頭部周囲にフィットする帯状のヘッドバンドと、ヘッドバンドから上側に延びたハンモックとが設けられており、ハンモックの下端部の少なくとも４ヶ所が折り畳み式保護帽１に取付けられている。折り畳み式保護帽１に取付けられたハンモックの下端部と同じ部位に耳掛け紐が左右の耳に掛けられるように設けられており、耳掛け紐同士を繋ぐようにあご紐が設けられている。また、上記説明では、前側と後側を設定しているが、逆にしてもよい。
【符号の説明】
【００８５】
１  折りたたみ式保護帽
３  左側帽体部
４  所定の部位（中央部）
５  右側帽体部
９  中央ヒンジ部
１１  セグメント
１３  ヒンジ部
１７  切り欠き
２３  中央帽体部
２３Ａ、２３Ｂ、２３Ｃ、２３Ｄ、２３Ｅ  セグメント
２５  ロック部
【図１】
0006572097.tif 000002
【図２】
0006572097.tif 000003
【図３】
0006572097.tif 000004
【図４】
0006572097.tif 000005
【図５】
0006572097.tif 000006
【図６】
0006572097.tif 000007
【図７】
0006572097.tif 000008
【図８】
0006572097.tif 000009
【図９】
0006572097.tif 000010
【図１０】
0006572097.tif 000011
【図１１】
0006572097.tif 000012
【図１２】
0006572097.tif 000013
【図１３】
0006572097.tif 000014
【図１４】
0006572097.tif 000015
【図１５】
0006572097.tif 000016
【図１６】
0006572097.tif 000017
【図１７】
0006572097.tif 000018